(57)【要約】【課題】労働安全衛生規則第３７１条２号で規定する突合せ継手を確保しつつ、市販の鋼材を用いて低コストで切梁を同一平面上で交差できる、切梁の交差構造を提供すること。【解決手段】同一平面上で交差する橋絡切梁１０Ａと貫挿切梁１０Ｂとを有し、橋絡切梁１０Ａは所定の間隔を隔てて同軸線上に対向させて配置した複数の分割切梁１１と、隣り合う分割切梁１１の対向部の上下両側の間に跨りボルトで連結した一対の接続補強材１２，１２とを有し、分割切梁１１の端面と接続補強材１２で囲まれた貫挿孔Ｓを通じて橋絡切梁１０Ａおよび貫挿切梁１０Ｂが同一平面上で交差し、橋絡切梁１０Ａの貫挿孔Ｓ内に介装した間詰材２０を通じて隣り合う分割切梁１１，１１間に突合せ継手Ｒ１を形成すると共に、一対の接続補強材１２，１２を通じて隣り合う分割切梁１１，１１間に重ね継手Ｒ２を形成する。【選択図】図４
0003226973.tif 000002
【実用新案登録請求の範囲】
【請求項１】
山留壁の腹起材の間に同一平面上で交差して架設する切梁の交差構造であって、
同一平面上で交差する橋絡切梁と貫挿切梁とを有し、
前記橋絡切梁は所定の間隔を隔てて同軸線上に対向して配置した複数の分割切梁と、該複数の分割切梁の対向部の上下両側の間に跨りボルトで連結した一対の接続補強材とを有し、
前記分割切梁の左右の端板と上下に位置する接続補強材とで囲まれた貫挿孔を通じて前記橋絡切梁および貫挿切梁が同一平面上で交差し、
前記橋絡切梁の貫挿孔内に介装した間詰材を通じて隣り合う分割切梁間に突合せ継手を形成すると共に、
前記一対の接続補強材を通じて隣り合う分割切梁間に重ね継手を形成したことを特徴とする、
切梁の交差構造。
【請求項２】
前記一対の接続補強材を構成する鋼材がＨ形鋼であることを特徴とする、請求項１に記載の切梁の交差構造。
【請求項３】
前記貫挿孔内に位置する貫挿切梁の両側に拡幅機能を有する一対の間詰材を介装したことを特徴とする、請求項１に記載の切梁の交差構造。
【請求項４】
前記間詰材が定形ピースと、拡幅機能を有する裏込ブロックとの重合体により構成することを特徴とする、請求項１または３に記載の切梁の交差構造。
【請求項５】
前記貫挿孔の横幅寸法が貫挿切梁の横幅寸法より大きい寸法関係にあることを特徴とする、請求項１に記載の切梁の交差構造。
【考案の詳細な説明】
【技術分野】
【０００１】
本考案は、山留工事で使用する切梁の交差技術に関し、特に簡易な構造と資材を用いて切梁を同一平面上で交差して架設できる切梁の交差構造に関する。
【背景技術】
【０００２】
山留工事においては、Ｈ形鋼等の鋼製の腹起材、切梁、火打材等を用いている。
切梁を交差して架設する場合には、一般的に交差する各切梁を上下に重ねた立体交差構造が知られている(特許文献１)。
特許文献２には、同一平面上で切梁を交差する手段として、二軸方向に向けて貫通穴と挿入穴を有する切梁専用の平面交差継手を用いることが開示され、特許文献３には、同一平面上で切梁を交差する手段として、交差用切梁を挿入可能な貫挿孔を備えた交差用治具を用いることが開示されている。
【先行技術文献】
【特許文献】
【０００３】
【特許文献１】実開昭５５−２１３０８号公報(第１図)
【特許文献２】実開平６−７６４４４号公報(図１,図２)
【特許文献３】特開２０００−２９７４３２号公報(図１〜図５)
【考案の概要】
【考案が解決しようとする課題】
【０００４】
従来の切梁の交差構造には次のような問題点がある。
＜１＞切梁を上下に重ねて交差する立体交差構造では，切梁の段差の影響を受けて相対向する腹起材に上下の高低差が生じる。
そのため、入り隅部に火打材を組み付ける際に、腹起材に上下の高低差があるため火打材の組み付け構造が複雑となる。
＜２＞特許文献２に記載の平面交差継手は、切梁の断面形状と寸法に合わせて製作した専用資材となるため、切梁の交差コストが高くつく。
＜３＞特許文献３に記載の交差用治具も、交差する切梁の断面寸法に合わせた専用治具となるため、切梁の交差コストが高くつく。
＜４＞従来の切梁の平面交差構造は交差角度が９０度に規定してあるため、交差角度が９０度以外の場合は継手や治具が特注品となって、製作コストか高くつく。
＜５＞特許文献２，３に記載の平面交差構造は、平面交差継手や交差用治具を設けた一方の切梁が、他方の切梁を跨いだ交差構造となる。
平面交差継手や交差用治具の両端に切梁材を連結してなる一方の切梁は、継手や治具を経由して軸力を伝達することとなり、法規(労働安全衛生規則第３７１条２号「圧縮材(火打ちを除く。)の継手は、突合せ継手とすること。」)で規定する継手(突合せ継手)の要件を満たさない。
【０００５】
本考案は以上の点に鑑みてなされたもので、その目的とするところは、法規(労働安全衛生規則第３７１条２号)で規定する継手要件を満たしつつ、市販の鋼材を用いて低コストで切梁を同一平面上で交差できる、切梁の交差構造を提供することにある。
【課題を解決するための手段】
【０００６】
本考案は、山留壁の腹起材の間に同一平面上で交差して架設する切梁の交差構造であって、同一平面上で交差する橋絡切梁と貫挿切梁とを有し、前記橋絡切梁は所定の間隔を隔てて同軸線上に対向して配置した複数の分割切梁と、該複数の分割切梁の対向部の上下両側の間に跨りボルトで連結した一対の接続補強材とを有し、前記分割切梁の左右の端板と上下に位置する接続補強材とで囲まれた貫挿孔を通じて前記橋絡切梁および貫挿切梁が同一平面上で交差し、前記橋絡切梁の貫挿孔内に介装した間詰材を通じて隣り合う分割切梁間に突合せ継手を形成すると共に、前記一対の接続補強材を通じて隣り合う分割切梁間に重ね継手を形成した。
本考案の他の形態において、前記貫挿孔内に位置する貫挿切梁の両側に拡幅機能を有する一対の間詰材を介装してある。
本考案の他の形態において、前記間詰材が定形ピースと、拡幅機能を有する裏込ブロックとの重合体により構成する。
本考案の他の形態において、前記貫挿孔の横幅寸法が貫挿切梁の横幅寸法より大きい寸法関係にある。
【考案の効果】
【０００７】
本考案は少なくとも何れか１つの効果を得ることができる。
＜１＞橋絡切梁において、間詰材を通じた突合せ継手と、一対の接続補強材を通じた重ね継手の２つのルートを経て軸力を伝達することができる。
したがって、法規(労働安全衛生規則第３７１条２号)で規定する継手要件を満たしつつ、Ｈ形鋼等の市販の鋼材を用いて低コストで切梁を同一平面上で交差することができる。
＜２＞貫挿孔の横幅間隔を貫挿切梁の横幅より大きい寸法関係にすることで、両切梁の交差角度を９０度以外の任意の角度で交差させるとこができる。
＜３＞接続補強材には特注品ではなく、Ｈ形鋼等の市販の鋼材を使用するので、切梁を経済的に交差できる。
＜４＞切梁の交差作業を短時間のうちに簡単な作業で行うことができる。
＜５＞橋絡切梁と貫挿切梁とを同一平面上で交差できるので、各切梁に対応した腹起材の高低差がなくなり、火打材を隅部に架設する入り隅部の構造を簡略化できる。
【図面の簡単な説明】
【０００８】
【図１】本考案に係る切梁の交差構造の斜視図
【図２】切梁の交差部の側面図
【図３】切梁の交差方法の説明図
【図４】橋絡切梁における軸力の伝達継手の説明図
【考案を実施するための形態】
【０００９】
以下図面を参照しながら本考案について詳しく説明する。
【００１０】
＜１＞切梁の交差構造
図１，２を参照して説明すると、本考案の切梁の交差構造は、橋絡切梁１０Ａと、橋絡切梁１０Ａと同一平面上で交差する貫挿切梁１０Ｂと、両切梁１０Ａ，１０Ｂの交差部の隙間をなくして両切梁１０Ａ，１０Ｂの相互間で荷重の伝達を可能とする一対の間詰材２０，２０とを有する。
両切梁１０Ａ，１０Ｂはウェブ１０ａの両側に一対のフランジ１０ｂを形成したＨ形鋼からなり、その端面には端板１０ｃが一体に固着してある。
【００１１】
＜２＞橋絡切梁
橋絡切梁１０Ａは貫挿切梁１０Ｂと交差して配置する切梁材で、所定の間隔を隔てて同軸線上に配置した複数の分割切梁１１，１１と、隣り合う分割切梁１１，１１の対向部の上下両側に配置した一対の接続補強材１２，１２とを有する。
【００１２】
＜２．１＞分割切梁
隣り合う分割切梁１１，１１は貫挿切梁１０Ｂを同一平面上で交差するため、所定の間隔を隔てて位置する。
貫挿切梁１０Ｂのフランジ幅をＬ１とした場合、隣り合う分割切梁１１，１１の対向端部間の間隔である貫挿孔Ｓの横幅Ｌ２は、貫挿切梁１０Ｂのフランジ幅である横幅Ｌ１より僅かに広い寸法関係にある。
貫挿孔Ｓの横幅間隔Ｌ２を貫挿切梁１０Ｂの横幅Ｌ１より大きい寸法関係にしたのは、両切梁１０Ａ，１０Ｂの交差角度を９０度以外の任意の角度で交差させるためである。
【００１３】
＜２．２＞接続補強材
一対の接続補強材１２，１２は隣り合う分割切梁１１，１１に作用する軸力を伝達するためのＨ形鋼からなる剛性部材であり、隣り合う分割切梁１１，１１のフランジ１０ｂ間に跨って配置し、重合するフランジ１０ｂ間を複数の締結ボルト１３で固定する。
接続補強材１２は特注品ではなく、各切梁１０Ａ，１０Ｂと同様にＨ形鋼等の市販の鋼材を使用できると共に、分割切梁１１との連結も市販の締結ボルト１３を使用して連結するこができる。
【００１４】
図面では接続補強材１２の断面寸法（フランジ幅、ウェブ高さ）が分割切梁１１，１１と同一寸法の形態について示しているが、接続補強材１２の断面寸法は分割切梁１１と比べて小さくてしてもよいし、或いは大きくてもよい。
【００１５】
＜２．３＞貫挿孔
各分割切梁１１，１１の上下面に一対の接続補強材１２，１２をボルト連結により固定することで、分割切梁１１，１１の左右の端板１０ｃ，１０ｃと、上下に位置する接続補強材１２，１２のフランジ１０ｂ，１０ｂとで囲まれて貫挿孔Ｓを形成する。
【００１６】
＜２．４＞橋絡切梁の構成材
既述したように、橋絡切梁１０Ａを構成する複数の分割切梁１１と一対の接続補強材１２，１２にＨ形鋼等の市販の鋼材を適用できるので、橋絡切梁１０Ａを低コストに製作できる。
【００１７】
＜３＞間詰材
一対の間詰材２０，２０は、貫挿孔Ｓ内における分割切梁１１の端板１０ｃと貫挿切梁１０Ｂのウェブ１０ａとの間に配置する間隔調整部材であると共に、隣り合う分割切梁１１，１１間の軸力伝達部材でもある。
【００１８】
本例では定形ピース２１と、拡幅機能を有する裏込ブロック２２とにより間詰材２０を構成する形態について説明するが、定形ピース２１を省略して裏込ブロック２２のみで間詰材２０を構成するようにしてもよい。
【００１９】
＜３．１＞定形スペーサ
定形スペーサ２１は、圧縮変形が不能な鋼材、樹脂等の硬質材からなり、その断面形は角柱形、平板形等を呈する。
定形スペーサ２１の板厚は全体が均一厚にかぎらず、板厚が一方から他方へ向けて漸減する断面楔形でもよい。
【００２０】
＜３．２＞裏込ブロック
裏込ブロック２２は外部操作によって全体の厚さ調整を可能な公知のユニブロックやブルブロック等を適用できる。
【００２１】
［切梁の交差架設方法］
つぎに橋絡切梁１０Ａと貫挿切梁１０Ｂの交差架設方法について説明する。
本例では橋絡切梁１０Ａを先行架設した後に貫挿切梁１０Ｂを架設して交差する形態について説明するが、その逆でも両切梁１０Ａ，１０Ｂを交差して架設できる。
【００２２】
＜１＞橋絡切梁の先行架設（図３）
相対向する一対の腹起材（図示せず）の間に橋絡切梁１０Ａを先行して横向きに架設する。
この際、橋絡切梁１０Ａの上位の接続補強材１２を取り外して、貫挿孔Ｓの上口を開放しておく。
【００２３】
＜２＞貫挿切梁の交差配置（図３）
つぎに橋絡切梁１０Ａの真上に貫挿切梁１０Ｂを交差して配置し、水平を保ったまま貫挿切梁１０Ｂを橋絡切梁１０Ａの貫挿孔Ｓ内に落とし込む。
後して架設した貫挿切梁１０Ｂの両端を相対向する一対の腹起材に支持させる。
【００２４】
隣り合う分割切梁１１，１１の上面間に上位の接続補強材１２を組み付けて貫挿孔Ｓの上口を閉鎖する。
このように、貫挿切梁１０Ｂを貫挿切梁１０Ｂの貫挿孔Ｓ内に収容して貫挿孔Ｓを封鎖するだけの簡単な作業で以て、両切梁１０Ａ，１０Ｂを同一平面上で交差して架設することができる。
【００２５】
＜２．１＞切梁へのプレロード。
必要に応じて各切梁１０Ａ，１０Ｂにプレロードを導入する。
両切梁１０Ａ，１０Ｂの交差部が拘束されていないので、各切梁１０Ａ，１０Ｂに対して個別にプレロードを付与できる。
【００２６】
＜２．２＞切梁の交差角度
橋絡切梁１０Ａの貫挿孔Ｓの横方向の間隔Ｌ２が貫挿切梁１０Ｂのフランジ幅Ｌ１より広い寸法関係にある。
したがって、貫挿孔Ｓ内で貫挿切梁１０Ｂを９０度で交差することは勿論のこと、現場の状況に応じて両切梁１０Ａ，１０Ｂを９０度以外の角度でも交差できる。
【００２７】
＜３＞切梁の交差部の間詰処理（図２）
橋絡切梁１０Ａの軸力伝達性能を高めるため、両切梁１０Ａ，１０Ｂの交差部に一対の間詰材２０，２０を設置する。
具体的に説明すると、貫挿切梁１０Ｂを貫挿して二分した各貫挿孔Ｓ内に収縮状態で間詰材２０を介装する。
つぎに二分した各貫挿孔Ｓ内で間詰材２０を拡幅させて、両間詰材２０の左右の両側面を分割切梁１１の端板１０ｃと貫挿切梁１０Ｂのウェブ１０ａの側面に圧接する。
間詰材２０を拡幅するのは、橋絡切梁１０Ａを構成する分割切梁１１，１１の端板１０ｃ，１０ｃ間を突合せ継手とするためである。
【００２８】
＜３．１＞９０度以外の角度で交差させた場合
両切梁１０Ａ，１０Ｂを９０度以外の角度で交差させた場合には、貫挿切梁１０Ｂのウェブ１０ａが分割切梁１１の端板１０ｃと非平行となる。
このような場合は、断面楔形の定形スペーサ２１等を使用して間詰めする。
【００２９】
＜３．２＞橋絡切梁の軸力伝達ルート（図４）
橋絡切梁１０Ａでは、隣り合う分割切梁１１，１１の間に間詰材２０，２０を介装したことで、分割切梁１１，１１の間が突合せ継手Ｒ１となる。
さらに、間隔を隔てた分割切梁１１，１１の間に一対の接続補強材１２，１２を連結したことで、分割切梁１１，１１の間が重ね継手Ｒ２にもなっている。
このように橋絡切梁１０Ａは、交差部に間詰材２０，２０を間詰めすることで、法規(労働安全衛生規則第３７１条２号)の要件である突合せ継手Ｒ１を含むことになる。
橋絡切梁１０Ａにおいては、突合せ継手Ｒ１と重ね継手Ｒ２の２つのルートを経て軸力を伝達することができる。
【００３０】
＜３．３＞貫挿切梁の軸力伝達ルート
貫挿切梁１０Ｂでは、連続した一本ものの鋼材あり間に継手が介在しないので、軸力は貫挿切梁１０Ｂの軸心を通じて伝達する。
【００３１】
＜３．４＞切梁の交差作業性
以上説明したように、同一平面上で交差させた橋絡切梁１０Ａと貫挿切梁１０Ｂの交差部を間詰めするだけの簡単な作業で済むので、各切梁１０Ａ，１０Ｂの架設に要する時間と労力を大幅に削減できる。
さらに切梁交差用に特注継手や特注治具を用いずに同一平面上で交差できるので、交差する切梁１０Ａ，１０Ｂのコストアップ化を回避できる。
【００３２】
＜４＞火打材の架設
橋絡切梁１０Ａと貫挿切梁１０Ｂを同一平面上で交差できるので、各切梁１０Ａ，１０Ｂに対応した腹起材を高低差がなく同一平面上に取り付けできる。
したがって、火打材を隅部に架設する場合は、同一平面上の腹起材に跨って水平に架設できるので、入り隅部の構造を簡略化できる。
【符号の説明】
【００３３】
１０Ａ・・・橋絡切梁
１０Ｂ・・・貫挿切梁
１０ａ・・・ウェブ
１０ｂ・・・フランジ
１０ｃ・・・端板
１１・・・・橋絡切梁を構成する分割切梁
１２・・・・橋絡切梁を構成する接続補強材
１３・・・・連結ボルト
２０・・・・間詰材
２１・・・・定形ピース
２２・・・・裏込ブロック
【図１】
0003226973.tif 000003
【図２】
0003226973.tif 000004
【図３】
0003226973.tif 000005
【図４】
0003226973.tif 000006